(57)【特許請求の範囲】
【請求項１】
複数の経路を通ってシンボルで送信されたデータを受信する受信機を備える、無線局であって、
経路を検出して、各経路を別々に処理するように同期させる、パスモジュールと、
各経路から届くデータを受信する複数の遅延回路であって、各経路のデータは特定の遅延回路で処理されて、その経路に属するシンボルのシーケンスを取得し、これらの取得したシンボルのシーケンスは、同一のものであるが時間的にはシフトされている、複数の遅延回路と、
連続するシンボルのシリーズを格納して、このシリーズ内の特定のシンボルをそれぞれが供給する複数のレジスタバンクのチェーンと、レジスタバンクを選択してこのレジスタバンクにより供給されるシンボルを出力シンボルとして取得するバスマルチプレクサとを、各遅延回路に対して備える、アライメントモジュールと、
前記アライメントモジュールの出力シンボルを処理して、送信されたデータを再生する、処理回路と、
を備えるとともに、
新しい経路の検出に伴って前記アライメントモジュール内で選択されたレジスタバンクの構成を変更することで、前記バスマルチプレクサと前記レジスタバンクを管理して、レジスタバンクに主として存在するシンボルが出力シンボルとして取得されるようにする、管理モジュールを、備えており、
前記選択されたレジスタバンクの構成は、
新しい経路に属するシンボルのシーケンスが、既に受信したシンボルのシーケンスに対して先行しており、且つ、チェーンの最後のレジスタバンクが選択された場合には、２つの連続するシンボルを１つのシンボル期間で供給し、
新しい経路に属するシンボルのシーケンスが、既に受信したシンボルのシーケンスに対して遅れており、且つ、チェーンの最初のレジスタバンクが選択された場合には、同じシンボルを２つの連続するシンボル期間で供給する、
ように変更される、ことを特徴とする無線局。
【請求項２】
ＣＤＭＡモードで動作する、ことを特徴とする、請求項１に記載の無線局。
【請求項３】
複数の経路を通ってシンボルで送信されたデータを受信する受信方法であって、
各経路から届くデータを受信する複数の遅延回路であって、各経路のデータは特定の遅延回路で処理されて、その経路に属するシンボルのシーケンスを取得し、これらの取得したシンボルのシーケンスは、同一のものであるが時間的にはシフトされている、複数の遅延回路と、
連続するシンボルのシリーズを格納して、このシリーズ内の特定のシンボルをそれぞれが供給する複数のレジスタバンクのチェーンと、レジスタバンクを選択してこのレジスタバンクにより供給されるシンボルを出力シンボルとして取得するバスマルチプレクサとを、各遅延回路に対して備える、アライメントモジュールと、
前記アライメントモジュールの出力シンボルを処理して、送信されたデータを再生する、処理回路と、
を備える受信機が含まれており、
当該方法は、
新しい経路を検出する、経路検出ステップと、
新しい経路の検出に伴ってアライメントモジュール内で選択されたレジスタバンクの構成を変更することで、レジスタバンクに主として存在するシンボルが出力シンボルとして取得されるようにする、管理ステップとを、
備えており、
前記選択されたレジスタバンクの構成は、
新しい経路に属するシンボルのシーケンスが、既に受信したシンボルのシーケンスに対して先行しており、且つ、チェーンの最後のレジスタバンクが選択された場合には、前記アライメントモジュールは、２つの連続するシンボルを１つのシンボル期間で供給し、
新しい経路に属するシンボルのシーケンスが、既に受信したシンボルのシーケンスに対して遅れており、且つ、チェーンの最初のレジスタバンクが選択された場合には、前記アライメントモジュールは、同じシンボルを２つの連続するシンボル期間で供給する、
ように変更される、ことを特徴とする受信方法。
【発明の詳細な説明】
【０００１】
【発明の属する技術分野】
本発明は、複数の経路を通ってシンボルで送信されたデータを受信する受信器を備える無線局に関し、前記受信器は、各経路から届くデータを受信する複数の遅延回路と、情報を前記遅延回路から取り出す処理回路とを備える。
【０００２】
本発明は、さらに、そのような受信器で実行される受信方法に関する。
【０００３】
【従来の技術】
本発明は、ＣＤＭＡモードで動作する局に対する興味深い出願を見つける。このモードでは、送信機から送られ異なる持続時間の経路を通って受信されたデータが、処理される。レーキ受信機の名前で知られる受信機は、この方式で動作して、複数のこれらの経路を考慮に入れながら、データと情報を処理する。これらの処理される経路の各々が、１本の遅延線を必要とする。
【０００４】
このタイプの局は、米国特許第5,537,438号から知られる。この文書は、等化方式の使用による情報ブロックの受信の改善に関する。
【０００５】
【課題を解決するための手段】
本発明は、冒頭のパラグラフで述べたタイプの局で、さらに前記等化方式以外の別の方式を用いてデータの受信を改善できる局を提案する。
【０００６】
そのような局は、処理回路が、遅延回路で主に見つけられるシンボルを処理することを特徴とする。
【０００７】
したがって、本発明で勧められる手段により、これらの遅延回路に続く処理が、処理シンボルを用いてより良い結果を生じるが、これは、この表示されるシンボルが推定に最も寄与するからである。
【０００８】
本発明の上記および他の態様は、非限定的な例として、以下に記載される実施形態を参照して、説明される。
【０００９】
【発明の実施の形態】
図１で、システム５の一部を形成する、本発明に係る装置１が示される。この図では、第２の装置１０が示され、装置１は、符号スペクトラム拡散リンクを介して第２の装置１０と通信する。この２局間のリンクは、シンボルを送信し、そのシンボルのストリームは一定である。各々の送信されたシンボルは、スペクトラム拡散符号で細断された２進素子によって、チップの形で形成される。例えば、局１０の送信部１２から局１の受信部１４に対して行われる送信は、多数の経路を利用する。送信部１２のアクセス端子１７に適用されたデータは、受信部１４の出力アクセス端子１９で再び見つけられる。大きい経路のみ、すなわち、経路Ｔ１、Ｔ２、Ｔ３、…、ＴＮを考察してみる。これらの様々な経路は、マルチパス伝搬チャネル（Ｔ１、Ｔ２、…、ＴＮ）を形成し、そのマルチパス伝搬チャネルの数Ｎと特性は経時的に変化する。その結果、局１は、同じストリームの送信信号の一定の数のレプリカを受信するが、それは経時的に変更される。受信部１４は、これらのＮ個の経路を処理する。逆に言えば、局１は送信部２０を備え、局１０は受信部２２を備える。局１０から局１への送信のみを以下に考察するが、上述された様々な経路Ｔ１乃至ＴＮを含む。このために、受信部１４は、Ｎ個の回線Ｌ１、Ｌ２、…、ＬＮまたは遅延回路を有し、それらは、パスモジュール２５によって予め同期化されていて、そのパスモジュールは、経路を検出して、それらの経路を同期させて、伝搬チャネルに存在するＮ個の経路を別々に処理するようにする。上述の例のフレーム構成内で、これらの回線の各々が、それが同期化される経路の非相関化オペレーションを実行する。これらのＮ個の回線の出力で、時間依存アラインメントモジュール３０が、回線Ｌ１、Ｌ２、…、ＬＮの出力信号を時間の関数としてアラインして、その結果、このシステムのすべての回線が互いに同期化される。
【００１０】
モジュール２５の動作を、図２と３を用いて説明する。図２は、送信シンボルのシーケンスを示し、それらの信号は、Ａ、Ｂ、Ｃ、Ｄ、…、Ｆ、Ｇ、…、の順で現れ、持続時間Ｔｓを有する。符号スペクトラム拡散が利用されるので（ＣＤＭＡ）、これらのデータを使ってもたらされるこれらのシンボルの相関性によって、相関ピークが発生し、その相関ピークの数は伝搬経路によって決まる。このことが、図３で示される。第１の相関ピークＰ１の後、伝搬時間τ１後に第２のピークＰ２が受信され、伝搬時間τ２後にピークＰ３が受信され、伝搬時間τ３後にピークＰ４が受信される。様々な伝搬時間を用いて、様々な遅延線Ｌ１乃至ＬＮに入ったシンボルのテーブルを作成することができる。例えば、図２に示されるシーケンスを考察する場合、シンボルＡを基準とする。このシンボルは、相関ピークＰ１が与えられた第１の信号であり、回線Ｌ１に戻ったが、回線Ｌｉに戻るシンボルは、ピークＰ１の出現から経過した時間によって決まる。
【００１１】
ＴＳ＜τi＜２Ｔｓの場合、回線に格納されるシンボルはＢである。
【００１２】
２ＴＳ＜τi＜３Ｔｓの場合、回線に格納されるシンボルはＣである、等々。
【００１３】
テーブル３５（図１）が、回線Ｌ１乃至ＬＮに含まれるシンボルのシーケンスを作成することを可能にする。
【００１４】
本発明によれば、シンボル処理モジュール４０が設けられ、このモジュールに伴う制限の問題を解決できる。遅延線Ｌ１乃至ＬＮに存在するシンボルの数の関数として推定されるシンボルを、考慮に入れる。
【００１５】
（問題の定義）
図４は、Ｉで、回線Ｌ１乃至ＬＮの入力信号を示す。これらの信号は、順序付けられた参照シンボルＡ、Ｂ、Ｃ、Ｄ、Ｅ、Ｆ、Ｇ、…で形成される様々なデータを示し、モジュール３０の入力で現れる。参照のＩＩは、アラインメントモジュール３０の出力における信号を示す。
【００１６】
各回線は別々に受信された経路を処理して、同一のシンボルシーケンスを再び見つけるが、それは経時的に変更される。実際に、図４のＩでは、回線ＬＮがシンボルＡを受信した間に、回線Ｌ１は既にシンボルＤを処理する。したがって、すべての経路（回線）の最終的なアラインメント処理を正確に実行するために、各シンボルは、もっとも遅れた経路がその順番で処理されるまで、各回線で格納される必要がある。最後の経路が所定のシンボルに対して処理されると、アラインメントモジュールの出力がこのシンボルに対して活動化され、同期アラインメント処理を実行可能である。図４のＩＩは、時点ｔＡにおけるシンボルＡに対するこの原理を示し、シンボルＡは、回線ＬＮで処理されると、アラインメントモジュールの出力で確認される。
【００１７】
通信中、経路は、遭遇する伝搬現象に続いて、アトランダムに現れたり消えたりする場合がある。一方、新しい経路の出現または古い経路の消失は、このシステムで既に使用された他の経路に対して、その前に、または、その間に、または遅れて発生し得る。
【００１８】
説明を分かりやすくするために、以下に４つの遅延線についてのみ述べる。
【００１９】
図５に示すアラインメントモジュールは、出現または消失する経路による効果をより適切に処理することができる。それは、
―  各回線の出力から届く信号を遅らせるために用いられる１６個のシフトレジスタのバンク[Ｄ１１−Ｄ４４]、
―  モジュールの出力で同一シンボルに対応する４つの信号（例えば、４Ａ、４Ｂ、…）を確認することを可能にする４つのバスマルチプレクサ、
―  前記マルチプレクサとシフトレジスタのバンクを管理する１つの管理モジュール
の形をとる。
【００２０】
各回線に対するシフトレジスタバンクの数は、メモリに格納できるシンボルの数を表わし、したがって、処理される最初と最後の経路の間に存在する最大遅延を表わす。この数は、システムの設計の間、固定され、チャネルに対して考えられる伝搬条件の関数として確立され得る。
【００２１】
なお、各レジスタバンク[Ｄ１１、…、Ｄ１４；Ｄ２１、…、Ｄ２４；Ｄ３１、…、Ｄ３４；Ｄ４１、…Ｄ４４]は、各回線に対して別々に制御されるのに対して、レジスタバンク[Ｄ０１、…、Ｄ０４]は、すべての回線に対して同期して制御される。
【００２２】
このモジュールの動作を、一例を挙げて説明する。
【００２３】
図６と７で説明する例は、アラインメントモジュールの動作を示し、それが、このシステムに伴う制限を有する問題を示すことを可能にし、本発明の目的を形成する原理を述べるのに助けとなる。
【００２４】
この図では、アラインメントモジュールの出力にあるレジスタバンク[Ｄ０１、…、Ｄ０４]の出力と共にレジスタバンク[Ｄ１１、…、Ｄ４４]の出力が示される。これは、長方形ＳＴ０で示される。処理手順の時間依存過程の様々なステップが、ここでは、長方形ＳＴ１乃至ＳＴｎとそれぞれ呼ばれる１からｎのステップで表わされる。
【００２５】
選択された構成は、１回線につき４つのレジスタバンクと４つの個別の回線（Ｎ＝４）から成る構成である。処理の初めには、３つの経路のみが伝搬チャネルに存在する。
【００２６】
ステップ１で、最初のシンボルＡが第１の回線で受信されるが、それは、ステップ３まで、アラインメントモジュールの出力で確認されず、ステップ３は、第３及び最終回線でのこの同じシンボルＡの到着に相当する。次いで、３つのＡ（３Ａ）が、シンボル処理モジュール４０に送信される。
【００２７】
ステップ４で、３つのＢがモジュールの出力で確認され、次に３つのＣがステップ５で確認される。ステップ６で、第４の回線が、前記３つの経路がすでに処理される前に、新しい経路で活動化される。この新しい経路は、最終ライン上のシンボルＧの出現によって表わされる。なお、第１の回線のみがシンボルＦを処理する。第４の経路は、４つのＧがアラインメントモジュールの出力で活動化されるステップ９で、初めて考慮に入れられる。
【００２８】
ステップ１０で、４つのＨが、モジュールの出力で確認される。
【００２９】
ステップ１１で、第３の経路が消失するが、ステップ１２（図７）で、他の３つの経路がすでに処理される前にもう一度現れる新しい経路に替えられる。図７のステップ１３乃至１７をよく見ると、今述べたばかりの処理が維持されるならば、いつこの経路を使用することが可能になるかがわかる。実際は、得られたシンボルのシーケンスは、３Ｋ、３Ｌ、３Ｍ、４Ｎ、４Ｏの代わりに、常に３Ｋ、３Ｌ、３Ｍ、３Ｎ、３Ｏ…のままである。
【００３０】
（問題の説明および採用された解決策―二重決定―の提示）
ここで示される問題は、このような構造のレジスタバンクを処理するどんなシステムにも伴う制限の問題である。この例では、問題は、第４の回線がすでに最後のレジスタバンクとアラインされ、したがって、他の経路の前に到着する新しい経路を考慮に入れることが困難であるという事実によってもたらされる。したがって、レジスタバンク[Ｄｉ５、…、Ｄ４５]の存在が必要となるときに、このシステムの柔軟性がない性質のために、この追加のレジスタバンクを部分的に挿入することができない。
【００３１】
上述の、本発明の目的となる方法が、システムの構造と送信シンボルのシーケンスを変更することなく、リンクの品質を変えることなく、この問題を解決することを可能にする。
【００３２】
この方法は、図７のレジスタの構成をよく見ることからもたらされる。実際に、ステップ１５で、レジスタバンクで、３つのＭと４つのＮの両方が配列されることがわかる。この時点で、正しいデータストリームを確保するために、４つのＮではなく、３つのＭについての決定が下される。本発明の概念は、ここで、３つのＭと４つのＮの両方についての二重決定を下すことである。ステップ１６で、４つのＯを用いて、その後、ステップ１７で４つのＰを用いて、標準のタイミングで継続することが可能になる。このデータストリームは、図７で表わされることができる。この方法は、オリジナルデータの使用に全面的に基づき、リンクの品質を変更することはないことが再びわかる。
【００３３】
図８は、タイミングの故障を示す。シンボルＭとＮの両方が単一期間ＴＳで処理される。
【００３４】
（エッジ効果の形態の他の事例―決定の欠如）
図９は、同じエッジ効果を示すが、経路がすでに処理された後に常に現れる場合に適用される。最初のステップ１乃至５は、前述の図６のステップと同じである。ステップ６で、すでに処理された経路に対して遅れた新しい経路が、考慮に入れられる。特別の処理が適用されないならば、この新しい経路は、出力で確認できない。レジスタバンクの構成をさらによく見ると、ステップ６で、４つのＣと３つのＤの両方をＤについてなされる決定によって得る。ステップ６で何の決定も下されない場合は、ステップ７で４つのＤを、次いで、ステップ８で４つのＥを回復することができる。図１０で示すことができるデータストリームにおいては、いかなる変更もない。
【００３５】
これらの明らかなタイミング故障は、多くの場合、使用される回路にとって不都合ではない。実際のところ、シンボルは、シンボル処理回路４０で推定される。
【００３６】
本発明で実行される方法は、次に述べるやり方で、以下の
―第１のシンボルの受信を決定するステップと、
―この第１のシンボルを第１の遅延回路に記録するステップと、
―この第１のシンボルの後に受信されたＮ個のシンボルを各遅延回路に記録するステップと、
―経路の出現および／または消失時にシーケンスのシンボルの大部分を検査するステップと、
―より速いまたは遅いタイミングで、シンボルを前記出現／消失の関数として使用するときに供給するステップと、
で要約される。
【図面の簡単な説明】
【図１】送信システムの一部を形成する、本発明に係る装置を示す図である。
【図２】送信されるシンボルのシーケンスを示す図である。
【図３】様々な伝搬路を通って受信機で得られた相関ピークのグラフを示す図である。
【図４】アラインメントモジュールによって得られた効果を示す図である。
【図５】遅延線の装置を示す図である。
【図６】第１の事例におけるこれらの線の占有の進展を示す図である。
【図７】第１の事例におけるこれらの線の占有の進展を示す図である。
【図８】第１の事例におけるタイミングの故障を示す図である。
【図９】第２の事例におけるこれらの線の占有の進展を示す図である。
【図１０】第２の事例におけるタイミングの故障を示す図である。
【符号の説明】
１  局
１０  局
１２  送信部
１４  受信部
１７  アクセス端子
１９  出力アクセス端子
２５  パスモジュール
３０  アライメントモジュール
【図１】
0004188009.tif 000002
【図２】
0004188009.tif 000003
【図３】
0004188009.tif 000004
【図４】
0004188009.tif 000005
【図５】
0004188009.tif 000006
【図６】
0004188009.tif 000007
【図７】
0004188009.tif 000008
【図８】
0004188009.tif 000009
【図９】
0004188009.tif 000010
【図１０】
0004188009.tif 000011